(57)【要約】  ＤＬＮＡ装置回路及びＤＬＮＡ管理コンソール回路を含むデジタル・リビング・ネットワーク・アライアンス（ＤＬＮＡ）対応の携帯電子装置が提供される。ＤＬＮＡ装置回路は、既存のＤＬＮＡネットワーク上でデータの発信源となることができるように、少なくとも１つの既存のＤＬＮＡ管理コンソールを有する既存のＤＬＮＡネットワークに携帯電子装置を接続するように構成される。ＤＬＮＡ管理コンソール回路は、既存のＤＬＮＡネットワークと新たなＤＬＮＡネットワークの少なくともいずれかのための携帯管理コンソールとして携帯電子装置を動作させるように構成される。ＤＬＮＡ対応の携帯電子装置を動作させることに関連する管理コンソール及び方法も提供される。
2011501545.tif 000002
【特許請求の範囲】
【請求項１】
デジタル・リビング・ネットワーク・アライアンス（ＤＬＮＡ）対応の携帯電子装置であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるＤＬＮＡ装置回路と、
前記既存のＤＬＮＡネットワーク及び新たなＤＮＬＡネットワークの少なくとも何れかのための携帯管理コンソールとして前記携帯電子装置を動作させるＤＬＮＡ管理コンソール回路と
の少なくとも何れかを備えることを特徴とするＤＬＮＡ対応の携帯電子装置。
【請求項２】
前記ＤＬＮＡ装置回路は、さらに、
前記携帯電子装置がＤＬＮＡ装置として前記既存のＤＬＮＡネットワークへ接続されるように要求する要求を前記既存の管理コンソールへ送信し、
前記ＤＮＬＡ管理コンソール回路は、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信することを特徴とする請求項１に記載のＤＮＬＡ対応の携帯電子装置。
【請求項３】
前記既存のＤＬＮＡネットワークは、前記既存のＤＬＮＡ管理コンソール及び前記第２の管理コンソールの少なくとも何れかから管理されることを特徴とする請求項２に記載のＤＮＬＡ対応の携帯電子装置。
【請求項４】
前記ＤＬＮＡ管理コンソール回路は、さらに、
前記既存のＤＬＮＡネットワークから離れた遠隔地から既存のＤＬＮＡネットワークに接続し、前記遠隔地から既存のＤＬＮＡネットワークを管理することを特徴とする請求項２又は３に記載のＤＬＮＡ対応の携帯電子装置。
【請求項５】
前記ＤＬＮＡ管理コンソール回路は、
無線ネットワーク及びＤＬＮＡプロキシを用いるインターネットを介して前記遠隔地から前記既存のＤＬＮＡネットワークへ接続することを特徴とする請求項４に記載のＤＬＮＡ対応の携帯電子装置。
【請求項６】
前記ＤＬＮＡ管理コンソール回路は、
前記ＤＬＮＡ対応の携帯電子装置を含む前記新たなＤＬＮＡネットワークを定義し、前記新たなＤＬＮＡネットワークのための前記携帯管理コンソールを含むことを特徴とする請求項１乃至５の何れか１項に記載のＤＬＮＡ対応の携帯電子装置。
【請求項７】
前記ＤＬＮＡ管理コンソール回路は、さらに、
追加のＤＬＮＡ対応装置から前記新たなＤＬＮＡネットワークへ接続する要求を受信することを特徴とする請求項６に記載のＤＬＮＡ対応の携帯電子装置。
【請求項８】
前記ＤＬＮＡ管理コンソール回路は、さらに、
前記新たなＤＬＮＡネットワークの管理及び監視の少なくとも一方を行うことを特徴とする請求項７に記載のＤＬＮＡ対応の携帯電子装置。
【請求項９】
前記ＤＬＮＡ装置回路は、
一時的に又は永続的に、前記既存のＤＬＮＡネットワーク及び前記新たなＤＬＮＡネットワークの少なくとも一方に前記携帯電子装置を接続させることを特徴とする請求項１乃至８の何れか１項に記載のＤＬＮＡ対応の携帯電子装置。
【請求項１０】
デジタル・リビング・アライアンス（ＤＬＮＡ）ネットワークのための管理コンソールであって、
ＤＬＮＡ対応の携帯電子装置がＤＬＮＡネットワーク上でのデータの発信源となるべく、前記ＤＬＮＡ管理コンソールに関連付けられた前記ＤＬＮＡネットワークへ前記ＤＬＮＡ対応の携帯電子装置を接続させる要求を該ＤＬＮＡ対応の携帯電子装置から受信する装置アタッチメント回路と、
前記既存のＤＬＮＡネットワーク及び新たなＤＮＬＡネットワークの少なくとも何れかのための携帯管理コンソールとして前記携帯電子装置を動作させる携帯管理コンソール回路と
の少なくとも何れかを備えることを特徴とする管理コンソール。
【請求項１１】
前記管理コンソールは、前記ＤＬＮＡ対応の携帯電子装置に含まれることを特徴とする請求項１０に記載の管理コンソール。
【請求項１２】
前記管理コンソールは、さらに、
前記ＤＬＮＡ対応の携帯電子装置に、前記ＤＬＮＡネットワークから離れた遠隔地から前記ＤＬＮＡネットワークに接続させ、前記遠隔地から前記ＤＬＮＡネットワークを管理させることを特徴とする請求項１１に記載の管理コンソール。
【請求項１３】
前記管理コンソールは、
前記ＤＬＮＡ対応の携帯電子装置を含む前記新たなＤＬＮＡネットワークを定義し、前記新たなＤＬＮＡネットワークのための前記管理コンソールを含むことを特徴とする請求項１１又は１２に記載の管理コンソール。
【請求項１４】
前記管理コンソールは、さらに、
追加のＤＬＮＡ対応装置から前記新たなＤＬＮＡネットワークへ接続する要求を受信することを特徴とする請求項１３に記載の管理コンソール。
【請求項１５】
デジタル・リビング・アライアンス（ＤＬＮＡ）ネットワークにおけるＤＬＮＡ対応の携帯電子装置を動作させるための方法であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるステップと、
前記既存のＤＬＮＡネットワーク及び新たなＤＮＬＡネットワークの少なくとも何れかのための携帯管理コンソールとして前記携帯電子装置を動作させるステップと
の少なくとも何れかを含むことを特徴とする方法。
【請求項１６】
前記既存のＤＬＮＡネットワークへ前記携帯電子装置を接続させる前記ステップは、さらに、
前記携帯電子装置がＤＬＮＡ装置として前記既存のＤＬＮＡネットワークへ接続されるように要求する要求を前記既存の管理コンソールへ送信するステップを含み、
前記携帯管理コンソールとして前記携帯電子装置を動作させる前記ステップは、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信するステップを含むことを特徴とする請求項１５に記載の方法。
【請求項１７】
局所地及び遠隔地の少なくとも何れかの、前記既存のＤＬＮＡ管理コンソール及び前記第２の管理コンソールの少なくとも何れかから、前記既存のＤＬＮＡネットワークを管理するステップをさらに含むことを特徴とする請求項１６に記載の方法。
【請求項１８】
前記携帯管理コンソールとして前記携帯電子装置を動作させる前記ステップは、
前記ＤＬＮＡ対応の携帯電子装置を含む前記新たなＤＬＮＡネットワークを定義するステップを含み、
前記携帯管理コンソールは、前記新たなＤＬＮＡネットワークのための前記携帯管理コンソールを含むことを特徴とする請求項１５乃至１７の何れか１項に記載の方法。
【請求項１９】
追加のＤＬＮＡ対応装置から前記新たなＤＬＮＡネットワークへ接続する要求を受信するステップをさらに含むことを特徴とする請求項１８に記載の方法。
【請求項２０】
前記携帯管理コンソールを用いて、前記新たなＤＬＮＡネットワークを管理するステップと、前記新たなＤＬＮＡネットワークを監視するステップとの少なくとも一方のステップをさらに含むことを特徴とする請求項１９に記載の方法。
【発明の詳細な説明】
【技術分野】
【０００１】
本発明は、携帯電子装置、特に、デジタル・リビング・ネットワーク・アライアンス（ＤＬＮＡ）対応の携帯電子装置に関するものである。
【背景技術】
【０００２】
近年、無線データ、娯楽及び移動通信に関連する技術が、特に家庭環境及びコンピューティング環境においてますます優勢になってきている。家庭内及びその他の場所におけるこれら通信の集中状態によって、装置のすべての要件をシームレスにサポートし、かつ、統合化することができる無線ネットワークアーキテクチャへこれら多くの異種装置をマージする市場が形成された。相互の通話が行われず、かつ、行うことが不可能な種々のインタフェースに対応するケーブル及びワイヤ回線を混同することなく、シームレスな接続性とデータの高速転送が可能であることは、広い市場を獲得するための説得力のある提案となる。
【０００３】
この目的のために、マルチバンドＯＦＤＭアライアンス（ＭＢＯＡ）、デジタル・リビング・ネットワーク・アライアンス（ＤＬＮＡ）及びＷｉＭｅｄｉａアライアンスのような通信産業協会は設計ガイドラインを確立しつつある。例えば、無線１３９４、無線ＵＳＢ、及び固有のＩＰベースのアプリケーションは、ウルトラ広帯域（ＵＷＢ）無線又はＷｉｍｅｄｉａコンバージェンスプラットフォームに基づいて開発されたものである。
【０００４】
特に、デジタル・リビング・ネットワーク・アライアンス（ＤＬＮＡ）は消費者用電子機器、コンピュータ業界及びモバイル通信装置会社からなる、業界を横断する国際的な協力団体である。ＤＬＮＡの主要目的はパーソナルコンピュータ（ＰＣ）と、消費者用電子機器（ＣＥ）と、モバイル通信装置との相互の運用が可能な有線及び無線のネットワークを家庭内において及び路上において確立することである。この確立によって新たなデジタルメディアとコンテンツサービスとを共有するためのシームレスな環境が可能になる。ＤＬＮＡは、消費者用の対応製品の適合性と相互運用性とを公的に検証するために、国際的に認められたオープンな業界標準に基づく設計ガイドラインの相互運用性の枠組みを認証／ロゴプログラムと共に配信することに焦点を当てるものである。
【０００５】
ＤＬＮＡは、ＤＬＮＡネットワーク内の装置に対して３つのタイプの役割、すなわち、デジタルメディアレンダラの役割、デジタルメディアコントローラ（コントロールポイント）の役割、及びデジタルメディアサーバの役割を定義する。デジタルメディアサーバの役割を有する装置として、メディアの保存と発信とを行うことができるコンポーネントがある。デジタルメディアサーバの役割を有することができる装置としては、例えば、セットトップ・ボックス、デジタル・ビデオ・レコーダ、又はパーソナルコンピュータ（ＰＣ）などがあり得る。デジタルメディアレンダラの役割を有する装置は、別の装置によって当該装置に提供されるコンテンツをユーザに対して示すように構成されたものであってもよい。デジタルメディアコントローラとして構成される装置（コントロールポイントの役割）はデジタルメディアレンダラ装置上のサードパーティのコントローラとして動作を開始することが可能であり、例えば、デジタルメディアサーバ装置からメディアの表示を開始することが可能となる。すなわち制御ポイント装置はサーバによって提供されるコンテンツをレンダリングする方法と場所とを制御するように構成される。装置は当然のことであるが１以上の役割を担うことができる。例えば、レンダラの役割とコントロールポイントの双方として構成される装置はデジタルメディアプレーヤと命名することができる。デジタルメディアプレーヤはデジタルメディアサーバからメディアを得ると共に、ユーザに対してこのメディアを再生する（レンダリングする）ことができる。デジタルメディアプレーヤは、例えばテレビやホームシアタシステムであってもよい。
【発明の概要】
【０００６】
本発明のいくつかの実施形態は、ＤＬＮＡ装置回路及びＤＬＮＡ管理コンソール回路を含むデジタル・リビング・ネットワーク・アライアンス（ＤＬＮＡ）対応の携帯電子装置を提供する。ＤＬＮＡ装置回路は、既存のＤＬＮＡネットワーク上でデータ用の発信源となるように、少なくとも１つの既存のＤＬＮＡ管理コンソールを設けて、既存のＤＬＮＡネットワークに携帯電子装置を接続するように構成される。ＤＬＮＡ管理コンソール回路は、既存のＤＬＮＡネットワークと新たなＤＬＮＡネットワークの少なくともいずれかのネットワークのための携帯管理コンソールとして携帯電子装置が動作できるように構成される。
【０００７】
本発明のさらに別の実施形態では、携帯電子装置がＤＬＮＡ装置として既存のＤＬＮＡネットワークに接続されるように要求する要求を既存の管理コンソールへ送信するようにＤＬＮＡ装置回路をさらに構成してもよい。携帯電子装置がＤＬＮＡ装置として既存のＤＬＮＡネットワークに接続されるとすぐに、既存のＤＬＮＡネットワークのための第２の管理コンソールとして機能する権利が携帯電子装置に対して与えられるように要求する要求を既存の管理コンソールへ送信するようにＤＬＮＡ管理コンソール回路をさらに構成することができる。
【０００８】
本発明のさらに別の実施形態では、既存のＤＬＮＡネットワークは既存の管理コンソールと第２の管理コンソールの少なくともいずれかのコンソールから管理されてもよい。
【０００９】
本発明のいくつかの実施形態では、ＤＬＮＡ管理コンソール回路は、既存のＤＬＮＡネットワークから離れた遠隔地から既存のＤＬＮＡネットワークに接続すると共に、上記遠隔地から既存のＤＬＮＡネットワークを管理するようにさらに構成されてもよい。ＤＬＮＡ管理コンソール回路は、無線ネットワーク及びＤＬＮＡプロキシを用いてインターネット上で遠隔地から既存のＤＬＮＡネットワークに接続するように構成されてもよい。
【００１０】
本発明のさらに別の実施形態では、ＤＬＮＡ管理コンソール回路は、ＤＬＮＡ対応の携帯電子装置を含む新たなＤＬＮＡネットワークを定義するように構成されてもよい。ＤＬＮＡ管理コンソール回路は新たなＤＬＮＡネットワーク用の携帯管理コンソールであってもよい。
【００１１】
本発明のさらに別の実施形態では、ＤＬＮＡ管理コンソールは、新たなＤＬＮＡネットワークとの接続要求を追加のＤＬＮＡ対応装置から受信するようにさらに構成されてもよい。ＤＬＮＡ管理コンソール回路は新たなＤＬＮＡネットワークの管理と監視の少なくともいずれかを行うようにさらに構成されてもよい。
【００１２】
本発明のいくつかの実施形態では、ＤＬＮＡ装置回路は、既存のＤＬＮＡネットワークと新たなＤＬＮＡネットワークの少なくともいずれかのネットワークに携帯電子装置を一時的に又は永続的に接続するように構成されてもよい。
【００１３】
携帯電子装置の実施形態に関連して主として本発明のいくつかの実施形態について上述したが、ＤＬＮＡ対応の携帯電子装置を動作させる管理コンソール及び方法も提供される。
【図面の簡単な説明】
【００１４】
【図１】本発明のいくつかの実施形態に係るＤＬＮＡ管理コンソールとＤＬＮＡ対応の携帯電子装置とを含むデジタル・リビング・ネットワーク・アライアンス（ＤＬＮＡ）ネットワークを示す概略ブロック図である。
【図２】本発明のいくつかの実施形態に係るＤＬＮＡ対応の携帯電子装置及びセルラ通信システムを示す概略ブロック図である。
【図３】本発明のいくつかの実施形態に係る管理コンソール及び複数のＤＬＮＡ対応装置として構成される携帯電子装置を含むＤＬＮＡネットワークシステムを示す概略ブロック図である。
【図４】本発明の種々の実施形態に係る方法を示すフローチャートである。
【図５】本発明の種々の実施形態に係る方法を示すフローチャートである。
【図６】本発明の種々の実施形態に係る方法を示すフローチャートである。
【発明を実施するための形態】
【００１５】
本発明の実施形態を示す添付図面を参照しながら、本発明について以下さらに詳細に説明する。しかしながら、本発明は、多くの別の形態で実施することも可能であり、本明細書で説明される実施形態に限定されるものとして解釈されるべきでない。
【００１６】
従って、本発明は、様々な変形及び他の形式を許容することができ、その特定の実施形態が図面の例示によって示され、また、本明細書で詳細に説明される。しかしながら、開示される特定の実施形態に本発明を限定する意図はなく、それどころか、本発明は、特許請求の範囲で定義されているような、本発明の精神及び範囲に含まれるあらゆる変形、等価及び代替構成を含むものであることが理解されるべきである。同一の番号は図面の説明を通じて同一の要素を示すものとする。
【００１７】
本明細書で使用する用語は、特定の実施形態を説明する目的だけのものであって、本発明を限定するものではない。以下の説明において、「ａ」「ａｎ」「ｔｈｅ」により単数を表示したようになっているものでも、特に文脈上、別の記載がない限り、複数の内容を表示している場合もある。本明細書で使用している「有する(comprise)」、「有している(comprising)」、「含む(include)」、「含んでいる(including)」という用語は、記載されている特徴、数値、ステップ、動作、要素、構成部品が存在するということを明記するものであるが、これらの特徴、数値、ステップ、動作、要素、それらのグループ以外のものの存在、それらへの追加事項を排除するものではない。さらに、要素が他の要素に「応動する」あるいは、「接続する」と記載された場合、それは他の要素に対して直接応動あるいは接続してもよく、途中に他の要素が介在してもよい。反対に、要素が他の機構又は要素に対して「直接応動する」あるいは「直接接続する」とされる時は、中間の要素は存在しない。「〜と〜とのうちの少なくともいずれか」（and／or）と表示されている場合には、列挙された関連する項目のいずれか、及び、その項目全ての組み合わせであることを示しており、このことが、略記号である「／」として示されている。
【００１８】
別段の規定がない限り、本明細書で使用されている（技術的用語と科学的用語とを含む）すべての用語は、本発明が属している技術分野の通常の当業者によって共通に理解されるものと同じ意味を有するものとする。本明細書において用いられている用語は、本明細書及び関連する技術分野の文脈における意味と一致する意味を有するものと解釈すべきであり、本明細書で明示的に別段の定義がない限り、理想化した意味に解釈したり、過度に形式的な意味に解釈したりすべきでないことはさらに理解されよう。
【００１９】
多様な要素を記述するために、各要素に第１、第２などの用語を付す場合があるが、要素がこれらの第１、第２などの用語に限定されるわけではない。これらの用語は、要素と要素を区別するためだけに使用したものである。例えば、本開示の教示から逸脱することなく、第１の要素を第２の要素と命名する場合もあれば、同様に、第２の要素を第１の要素と命名する場合もある。線図のうちのいくつかには通信路上に情報伝達の主方向を示す矢印が含まれてはいるが、描かれている矢印と逆方向に通信が行われ得ることを理解されたい。
【００２０】
個々のブロックが指定された論理的な（単複の）機能を実現する１以上の実行可能な命令を備えた回路素子、モジュール、セグメント、又はコードの一部を表すフローチャートに関していくつかの実施形態が説明された。また、別の実施構成では、ブロックに示されている（単複の）機能を図示の順序とは異なる順序で実行してもよいことも付記しておく。例えば、続けて示される２つのブロックを、実際には、機能に応じてほぼ同時に実行し、又は、逆の順序で実行することも時として可能であることも付記しておく。
【００２１】
単に例示と説明を目的として、移動端末に関して本発明の様々な実施形態が本明細書で説明される。しかしながら、本発明は、このような実施形態に限定されるものではなく、本書面に記載の１以上の実施形態に基づいて動作するデジタル・リビング・ネットワーク・アライアンス（ＤＬＮＡ）と接続することができる任意の携帯電子装置において一般的に具現化され得るものであることは理解されよう。
【００２２】
発明の背景において上述したように、ＤＬＮＡは、ＤＬＮＡネットワーク内の装置に対して３つのタイプの役割、すなわち、デジタルメディアレンダラの役割、デジタルメディアコントローラ（コントロールポイント）の役割、及びデジタルメディアサーバの役割を定義する。デジタルメディアサーバの役割を有する装置として、メディアの保存と発信とを行うことができるコンポーネントがある。デジタルメディアサーバの役割を有することができる装置としては、例えば、セットトップ・ボックス、デジタル・ビデオ・レコーダ、又はパーソナルコンピュータ（ＰＣ）などがあり得る。デジタルメディアレンダラの役割を有する装置は、別の装置によって当該装置に提供されるコンテンツをユーザに示すように構成されてもよい。デジタルメディアコントローラとして構成される装置（コントロールポイントの役割）は、デジタルメディアレンダラ装置上のサードパーティのコントローラとして活動を開始することが可能であり、例えば、デジタルメディアサーバ装置からメディアの表示を開始することが可能となる。すなわち制御ポイント装置はサーバによって提供されるコンテンツをレンダリングする方法と場所とを制御するように構成される。装置は当然のことであるが１以上の役割を担うことができる。例えば、レンダラの役割とコントロールポイントの双方として構成される装置はデジタルメディアプレーヤと命名することができる。デジタルメディアプレーヤはデジタルメディアサーバからメディアを得ると共に、ユーザに対してこのメディアを再生する（レンダリングする）ことができる。デジタルメディアプレーヤは、例えばテレビやホームシアタシステムであってもよい。
【００２３】
本明細書で以下説明するように、本発明のいくつかの実施形態はＤＬＮＡ装置の第４の役割を提供する。本発明のいくつかの実施形態によれば、ＤＬＮＡネットワーク内のいくつかの装置は「管理装置」という役割を有することができる。管理装置の役割を有する装置は、ＤＬＮＡネットワークへのアクセス権を管理するように構成することができる。すなわち、管理装置の役割を有する装置は、ＤＬＮＡネットワークとの接続をどの装置に対して許可するかを管理すると共に、ＤＬＮＡネットワークのアクセス権とはどのようなものであるかを決定するように構成することができる。例えば、管理装置の役割を有する装置は接続されている装置へ構成パラメータを提供することができる。上述したように、本発明の範囲から逸脱することなく装置は２以上の役割を有することができる。
【００２４】
図１〜図６を参照して後述するように、本発明のいくつかの実施形態は、ＤＬＮＡネットワークにおいて携帯電子装置を動作させる携帯電子装置、管理コンソール、及び方法を提供するものである。本明細書において説明されているように、ＤＬＮＡのようなホームネットワーキングのための汎用性の高い解決策に対する関心が急激に高まってきている。そして最初のＤＬＮＡ対応の家庭用電子装置が市場へ導入されるようになってきた。したがって、ＤＬＮＡネットワークの浸透はかなり大きくなることが想定され得ると共に、これらのＤＬＮＡネットワークを管理するためのシンプルでかつ融通性のある手段に対する要望が生じる可能性がある。
【００２５】
したがって、本発明のいくつかの実施形態によれば、ＤＬＮＡ装置は「管理の役割」を有するようにすることが可能となる。本明細書において用いられているように、本発明のいくつかの実施形態に係る管理の役割を有するＤＬＮＡ装置は「管理コンソール」と呼ばれる。したがって、本発明のいくつかの実施形態によれば、ＤＬＮＡ対応の携帯電子装置はＤＬＮＡ対応装置とＤＬＮＡ管理コンソールの少なくともいずれかとして構成され得るものとなる。例えば、携帯電子装置は、ストリーミングの発信ソースのようなＤＬＮＡネットワークのデータソースなどの、ＤＬＮＡネットワークと接続できるＤＬＮＡ装置であってもよい。さらに、ＤＬＮＡ装置は、ＤＬＮＡ管理コンソールとして携帯電子装置を動作させるように構成された、本発明のいくつかの実施形態に係るＤＬＮＡ管理コンソール回路を含んでもよい。ＤＬＮＡ管理コンソール回路は、ＤＬＮＡネットワークとの接続をどの装置に対して許可するかを管理すると共に、ＤＬＮＡネットワークのアクセス権とはどのようなものであるかを決定するように構成することができる。例えば、ＤＬＮＡ管理コンソール回路は接続されている装置へ構成パラメータを提供することができる。したがって、本発明のいくつかの実施形態では、図１〜図６を参照してさらに後述するように、一時的状況用として「アドホックなＤＬＮＡネットワーク」を携帯電子装置の周辺に確立することが可能となる。
【００２６】
次に図１を参照しながら、ＤＬＮＡ管理コンソール１１０と、ＤＬＮＡ管理コンソール１１０と結合された複数のＤＬＮＡ対応装置とを含むＤＬＮＡネットワーク１００について説明する。ＤＬＮＡの主要目的はパーソナルコンピュータ（ＰＣ）と、消費者用電子機器（ＣＥ）と、モバイル通信装置との相互の運用が可能な有線及び無線のネットワークを家庭内において及び路上において確立することである。この確立によって新たなデジタルメディアとコンテンツサービスとを共有するためのシームレスな環境が可能になる。ＤＬＮＡは、消費者用の対応製品の適合性と相互運用性とを公的に検証するために、国際的に認められたオープンな業界標準に基づく設計ガイドラインの相互運用性の枠組みを認証／ロゴプログラムと共に配信することに焦点を当てるものである。ＤＬＮＡの詳細については当業者には公知のことなので、簡潔さを旨としてここでは詳述しない。
【００２７】
図１に示すように、ネットワーク１００のＤＬＮＡ対応装置はパーソナルコンピュータ１３０、テレビ１５０、ＤＶＲ／ＴＩＶＯ１６０及びラップトップ１７０を含む。これらのすべては本発明のいくつかの実施形態に係るＤＬＮＡ管理コンソール１１０と通信を行う。図１にさらに示されているように、ネットワーク１００には本発明のいくつかの実施形態に係る移動体端末などのＤＬＮＡ対応の携帯電子装置１９０もまた含まれている。この移動体端末は例えばＤＬＮＡ管理コンソール１１０と通信を行う。ＤＬＮＡ対応装置１３０、１５０、１６０、１７０は、無線（ＷＬＡＮ）で管理コンソール１１０と通信を行うことができる。しかし、理解されるように、この接続は本発明の範囲から逸脱することなくＵｐｎＰをサポートする任意の接続であってもよい。例示のように、ＤＬＮＡ対応の携帯電子装置１９０は無線リンクを介してＤＬＮＡ管理コンソール１１０と通信を行う。図１に例示の本発明の実施形態には、パーソナルコンピュータ１３０、テレビ１５０、ＤＶＲ／ＴＩＶＯ１６０、ラップトップ１７０及び携帯電子装置１９０が含まれ、これらすべてはＤＬＮＡ管理コンソール１１０と通信を行うものではあるが、本発明の実施形態はこの構成に限定されるわけではない。本発明の範囲から逸脱することなく、任意のＤＬＮＡ対応装置がＤＬＮＡ管理コンソール１１０と結合することができる。例えば、オーディオコンテンツとビデオ画像コンテンツの少なくともいずれかの格納とレンダリングの少なくともいずれかを行うことができる任意の装置が本発明のいくつかの実施形態に係るＤＬＮＡ装置として機能することが可能である。
【００２８】
さらに、図１のＤＬＮＡ対応装置はＤＬＮＡ管理コンソール１１０と結合されたものとして示されてはいるが、当該装置はまた、本発明の範囲から逸脱することなく。１以上のその他のＤＬＮＡ装置と結合されたものであってもよい。例えば、ＰＣ１３０はＤＶＲ／ＴＩＶＯ１６０と結合されたものであってもよい。
【００２９】
ここに用いられているように、「携帯電子装置」という用語は、セルラアクセス無線技術とローカルアクセス無線技術の少なくともいずれかの技術を有する任意の装置を含んでもよい。上記用語は、例えば、マルチライン・ディスプレイを有するもの、有しないものを含めたセルラ無線電話機と；セルラ無線電話機をデータ処理機能、ファクシミリ機能、及びデータ通信機能と組み合わせたパーソナル・コミュニケーション・システム（ＰＣＳ）端末と；ポケベル、インターネット／イントラネットアクセス、ウェブブラウザ、電子手帳、カレンダ、全地球測位システム（ＧＰＳ）受信機のうちの少なくともいずれかを含むパーソナル・データ・アシスタント（ＰＤＡ）と；無線電話トランシーバを含む従来型のラップトップと、パームトップの携帯コンピュータとのうちの少なくともいずれかを含むものであってもよい。本発明のいくつかの実施形態に従って動作させることができる任意の携帯電子装置を本発明の範囲から逸脱することなく使用することも可能である。
【００３０】
図１にさらに示されているように、ＤＬＮＡ管理コンソール１１０は、装置アタッチメント回路（device attachment circuit）１１５及び携帯管理コンソール回路１１７を含む。単一の管理コンソール１１０のみが図１に示されてはいるが、本発明の実施形態は本発明の範囲から逸脱することなく２以上の管理コンソール１１０を含んでもよい。装置アタッチメント回路１１５は、ＤＬＮＡ対応の携帯電子装置１９０から要求を受信して、ＤＬＮＡ管理コンソールに関連づけられたＤＬＮＡネットワーク１００にＤＬＮＡ対応の携帯電子装置１９０を接続し、当該携帯電子装置１９０がＤＬＮＡネットワーク上でデータ用の発信源となることができるように構成されてもよい。
【００３１】
本書面においてさらに後述するように、本発明のいくつかの実施形態によれば、ＤＬＮＡ対応の携帯電子装置１９０はＤＬＮＡネットワーク１００に永続的に追加（接続）されてもよいし、あるいは、例えば、ゲスト装置としてＤＬＮＡネットワーク１００に一時的に追加されてもよい。ＤＬＮＡ携帯電子装置１９０に対するアクセス権はＤＬＮＡ管理コンソール１１０において定義され得る。装置アタッチメント回路はまた、ＤＬＮＡネットワーク１００からＤＬＮＡ対応装置を解除するか、ＤＬＮＡネットワーク１００においてＤＬＮＡ対応装置を作動不能にするかの少なくともいずれかを行うように構成されてもよい。ＤＬＮＡネットワーク１００及び接続装置の状態を見ることができると共に、管理コンソール１１０を介してこの状態を変更することも可能である。
【００３２】
さらに、携帯管理コンソール回路１１７は、ＤＬＮＡ携帯電子装置がＤＬＮＡネットワーク用の携帯管理コンソールとして動作する許可を与える権利をＤＬＮＡ携帯電子装置１９０に提供するように構成されてもよい。したがって、本発明のいくつかの実施形態によれば、ＤＬＮＡ対応の携帯電子装置１９０は、本書面においてさらに後述するように、１以上のＤＬＮＡネットワーク１００のローカルな管理又は遠隔管理を行うための携帯管理コンソールとして使用することも可能である。
【００３３】
特に、本発明のいくつかの実施形態では、図２を参照してさらに後述するように、管理コンソール１１０はＤＬＮＡ対応の携帯電子装置１９０の中に含まれてもよい。携帯管理コンソール回路１１７は、ＤＬＮＡ対応の携帯電子装置がＤＬＮＡネットワークから離れた遠隔地からＤＬＮＡネットワークに接続すると共に、上記遠隔地からＤＬＮＡネットワーク用の携帯管理コンソールとして機能するように構成されてもよい。したがって、本発明のこれらの実施形態において、携帯電子装置１９０内に設けられた携帯管理コンソールは、ＤＬＮＡ対応の携帯電子装置１９０を含む新たなＤＬＮＡネットワークを定義することができると共に、携帯管理コンソールは新たなＤＬＮＡネットワーク用管理コンソールを含むことが可能となる。次いで、携帯管理コンソールは、新たなＤＬＮＡネットワークとの接続要求を追加のＤＬＮＡ対応装置（例えば図３を参照してさらに後述するような追加の携帯電子装置）から受け取ることが可能となる。
【００３４】
したがって、本発明のいくつかの実施形態によれば、ＤＬＮＡ管理コンソール１１０はＤＬＮＡネットワーク用の第４の役割（管理装置の役割）を提供することが可能となる。上述したように、例えば携帯電子装置などのような管理装置の役割を有する装置は、ＤＬＮＡネットワークへのアクセス権を管理するように構成することができる。すなわち、管理装置の役割を有する装置は、ＤＬＮＡネットワークとの接続をどの装置に対して許可するかを管理すると共に、ＤＬＮＡネットワークのアクセス権とはどのようなものであるかを決定するように構成され得る。例えば、本明細書に詳述されているように管理装置の役割を有する装置は接続されている装置へ構成パラメータを提供することができる。
【００３５】
次に図２を参照しながら、図１のＤＬＮＡ対応の携帯電子装置１９０のいくつかの実施形態に関する詳細を図２の移動体端末に関して説明する。図２は本発明のいくつかの実施形態に係るＤＬＮＡ対応の携帯電子装置２９０を示す概略ブロック図である。図２に示すように、携帯電子装置２９０はポータブルハウジング２００を含み、かつ、ディスプレイ２１４、マン・マシン・インタフェース（ＭＭＩ）２１６、スピーカ／マイク２１７、ウェブブラウザ２１８、トランシーバ２１２及びメモリ２８０を含んでもよい。これらのうちのいずれもプロセッサ２９５と通信を行うことができる。さらに、本発明の複数の実施形態に係る携帯電子装置２９０は、本発明のいくつかの実施形態に係るダウンロード制御回路２５０をさらに含んでもよく、このダウンロード制御回路もまたプロセッサ２９５と通信を行う。プロセッサ２９５は任意の市販のプロセッサ又はカスタムマイクロプロセッサであってもよい。
【００３６】
図２にさらに示されているように、携帯電子装置２９０は、本発明のいくつかの実施形態に係る移動体交換センタ（「ＭＳＣ」）２７０に接続された基地局トランシーバ２６０と通信を行う。トランシーバ２１２は典型的には送信機回路と受信機回路とを含み、これらの回路はそれぞれ発信無線周波数信号を基地局トランシーバ２６０へ送信し、かつ、アンテナ２０５を介して基地局トランシーバ２６０から音声信号とデータ信号のような着信無線周波数信号を受信する。アンテナ２０５は、本発明の範囲から逸脱することのない埋め込みアンテナ、伸縮自在アンテナ又は当業者に周知の任意のアンテナであってもよい。携帯電子装置２９０と基地局トランシーバ２６０との間で送信される無線周波数信号は、相手又は宛先との通信を確立して、この通信を維持するのに使用されるトラフィック信号と制御信号（例えば入電用のページング信号／メッセージ）との双方を含んでもよい。プロセッサ２９５は、本書面においてさらに後述するように本発明のいくつかの実施形態に係るＤＬＮＡ対応装置の追加及び解除を管理するように構成されるＤＬＮＡ回路２５０を含む携帯電子装置の種々の機能をサポートすることができる。
【００３７】
理解されるように、本発明のいくつかの実施形態では、トランシーバ２１２は短距離トランシーバであってもよい。短距離トランシーバは、例えば、比較的短距離にわたって高いデータ転送レートをサポートするブルートゥーストランシーバであってもよい。さらに理解されるように、本発明のいくつかの実施形態に係る携帯電子装置２９０は無線トランシーバ及び短距離トランシーバ／送信機を含んでもよい。
【００３８】
本発明のいくつかの実施形態では、基地局トランシーバ２６０は（単複の）無線トランシーバを含み、当該無線トランシーバは、セルラネットワークにおいて個々のセルを定義し、かつ、無線リンクプロトコルを用いて携帯電子装置２９０及びセル内の他の携帯電子装置と通信を行う。単一の基地局トランシーバ２６０のみが示されてはいるが、無線通信ネットワークを定義するために、多くの基地局トランシーバが、例えば移動体交換センタ２７０及び他の装置を介して接続され得ることは理解されよう。
【００３９】
本発明は携帯電子装置２９０のような通信装置又は通信システムにおいて実施され得るが、そのような装置とシステムの少なくともいずれかのみに本発明が限定されるわけではない。むしろ本発明は、本発明の実施形態に係るＤＬＮＡネットワークに接続するように構成され得る任意の装置において実施可能である。
【００４０】
本発明のいくつかの実施形態に係るＤＬＮＡ対応の携帯電子装置２９０は汎用性の高いユーザインタフェース（ＵＩ）と汎用性の高いセキュリティツールボックスとを有してもよい。これらの携帯電子装置はまた、例えば、ブルートゥース、赤外線（ＩＲ）、ＷｉＦｉ、ＷｉＭＡＸ、移動通信ネットワークを介するインターネットアクセス等の大きなセットの通信手段を備えてもよい。換言すれば、本発明のいくつかの実施形態に係るＤＬＮＡ対応の携帯電子装置は、本明細書に説明されているようなＤＬＮＡネットワークの弾力的な管理のための有用なプラットフォームを提供するものである。
【００４１】
図２にさらに示されているように、ＤＬＮＡ回路２５０にはＤＬＮＡ管理コンソール回路２５１及びＤＬＮＡ装置回路２５３が含まれる。これらの回路及びモジュールは独立の回路／モジュールとして図２に示されてはいるが、本発明の範囲から逸脱することなく、これらの回路／モジュールのうちのいずれかを合成又は分割して、複数の回路／モジュールにすることも可能であることは理解されよう。ＤＬＮＡ管理コンソール回路２５１及びＤＬＮＡ装置回路２５３の各回路の機能についてさらに本書面において説明する。
【００４２】
特に、ＤＬＮＡ装置回路２５３は、既存のＤＬＮＡネットワーク（１００、図１）上でデータ用の発信源とすることができるようにした１以上の既存のＤＬＮＡ管理コンソール（１１０、図１）を設けて、既存のＤＬＮＡネットワークに携帯電子装置２９０を接続するように構成される。特に、携帯電子装置がＤＬＮＡ装置として既存のＤＬＮＡネットワークに接続されるように要求する要求を既存の管理コンソール（１１０、図１）へ送信するように、ＤＬＮＡ装置回路２５３をさらに構成してもよい。上述のように、携帯電子装置は、本発明の範囲から逸脱することなく、永続的に又は一時的にＤＬＮＡネットワークに接続することが可能である。
【００４３】
ＤＬＮＡ管理コンソール回路２５１は、既存のＤＬＮＡネットワークと新たなＤＬＮＡネットワークの少なくともいずれかのネットワークのための携帯管理コンソールとして携帯電子装置２９０が動作できるように構成することができる。携帯電子装置が「第２の」管理コンソール（すなわち、図１の管理コンソール１１０に追加されるコンソールとして）動作する本発明の実施形態では、携帯電子装置がＤＬＮＡ装置として既存のＤＬＮＡネットワークに接続されるとすぐに、既存のＤＬＮＡネットワーク用の第２の管理コンソールとして機能する権利が携帯電子装置２９０に与えられるように要求する要求を既存の管理コンソール（１１０、図１）へ送信するようにＤＬＮＡ管理コンソール回路２５１を構成することが可能である。
【００４４】
したがって、既存の管理コンソール１１０と、携帯電子装置２９０によって提供される第２の管理コンソールとの少なくともいずれかのコンソールから既存のＤＬＮＡネットワーク（１００、図１）を管理することが可能となる。ＤＬＮＡ管理コンソール回路２５１は、既存のＤＬＮＡネットワークから離れた遠隔地から既存のＤＬＮＡネットワークに接続すると共に、上記遠隔地から既存のＤＬＮＡネットワークを管理するようにさらに構成されてもよい。ＤＬＮＡ管理コンソール回路２５１は、例えば、無線ネットワーク及びＤＬＮＡプロキシを用いてインターネット上で遠隔地から既存のＤＬＮＡネットワークに接続するように構成されてもよい。
【００４５】
携帯電子装置が新たなＤＬＮＡネットワーク用管理コンソールとして機能する（すなわち、管理コンソールが携帯電子装置２９０において実行するアプリケーションである）本発明の実施形態では、ＤＬＮＡ管理コンソール回路２５１は、ＤＬＮＡ対応の携帯電子装置２９０を含む新たなＤＬＮＡネットワークを定義するように構成されてもよい。したがって、ＤＬＮＡ管理コンソール回路２５１は新たなＤＬＮＡネットワークのための携帯管理コンソールであってもよい。図３を参照して詳細に後述するように、新たなＤＬＮＡネットワークが確立されるとすぐに、ＤＬＮＡ管理コンソール２５１は、新たなＤＬＮＡネットワークとの接続要求を追加のＤＬＮＡ対応装置２８４から受信するように構成され得る。本発明のこれらの実施形態では、ＤＬＮＡ管理コンソール回路は新たなＤＬＮＡネットワークの管理と監視の少なくともいずれかを行うように構成されてもよい。
【００４６】
理解されるように、ＤＬＮＡ回路２５０の回路とモジュールの各々が特定のタスクのために構成されたものとして説明されてはいるが、本発明の範囲から逸脱することなく、これらのタスクを１つの回路又はモジュールに合成したり、追加回路又はモジュールに分割したりすることも可能である。
【００４７】
本発明のいくつかの実施形態に係る詳細について図１及び図２を参照しながら説明する。上述のように、既存のネットワーク１００には、ネットワーク１００と接続された既存の管理コンソール１１０（例えばパーソナルコンピュータ）が含まれる。ＤＬＮＡ対応の携帯電子装置１９０、２９０は、要求を管理コンソールへ送信して、ＤＬＮＡ装置としてネットワークに追加されるように要求する。例えば、ＤＬＮＡ装置回路２５３の携帯電子装置２９０は要求を管理コンソール１１０の装置アタッチメント回路１１５へ送信することができる。それによって、接続済みの携帯電子装置１９０、２９０は最初既存の管理コンソール１１０から「管理される」ことになり、このコンソールにおいて、ネットワークの状態を見ること、種々の装置のアクセス権２８２を管理すること等を行うことが可能となる。
【００４８】
本発明のいくつかの実施形態では、元の管理コンソール１１０を経由して、ネットワーク１００用の第２の管理コンソールとして機能する権利２８２を携帯電子装置１９０、２９０に与えることが可能となる。したがって、携帯電子装置１９０、２９０はネットワーク１００の内部において２つの異なる役割を有することになる。特に、携帯電子装置１９０、２９０は、ネットワーク１００に接続されたＤＬＮＡ対応装置と、ネットワーク１００用の第２の管理コンソールとの両方になり得る。したがって、本発明のいくつかの実施形態によれば、携帯電子装置１９０、２９０は、ＤＬＮＡネットワーク１００から離れた遠隔地からＤＬＮＡネットワーク１００に接続する機能を有することが可能となる。例えば、携帯電子装置１９０、２９０は、無線ネットワークとＤＬＮＡプロキシとを用いて、インターネット上でＤＬＮＡネットワーク１００に接続するように構成されてもよい。したがって、本明細書において説明されているように、本発明のいくつかの実施形態は遠隔地からＤＬＮＡネットワーク１００を管理する機能を提供することが可能である。
【００４９】
図２と図３を参照しながら本発明のいくつかの実施形態に関して詳細を説明する。図３は、本発明のいくつかの実施形態に係る管理コンソール３９０及び当該管理コンソール３９０に接続された複数のＤＬＮＡ対応装置３９１として構成される携帯電子装置を含むＤＬＮＡネットワーク３００を示す概略ブロック図である。図３は第２のＤＬＮＡネットワーク３００’をさらに示す図である。第１のＤＬＮＡネットワーク３００において管理コンソールとしてサービスを提供している携帯電子装置３９０はネットワーク３００’に接続されたＤＬＮＡ対応装置のみである場合がある。したがって、携帯電子装置は本発明のいくつかの実施形態に係る２以上のネットワーク３００、３００’に接続され得ることになる。
【００５０】
図３に示すように、ＤＬＮＡ対応の携帯電子装置３９０は新たなＤＬＮＡネットワーク３００を定義する。当該ＤＬＮＡネットワーク３００には、（一体型管理コンソールを有する（すなわち携帯電子装置（ＤＬＮＡ管理コンソール回路３５１）の内部にアプリケーションを有する））ＤＬＮＡ対応装置３９０が含まれている。上述のように、携帯電子装置３９０は２以上のＤＬＮＡネットワーク３００、３００’を管理しているため、２以上のＤＬＮＡネットワーク３００、３００’の一部となり得る。したがって、図３に示すように、携帯電子装置３９０の周りに柔軟性のある「アドホックなＤＬＮＡネットワーク」を一時的状況用として確立することが可能となる。
【００５１】
特に、追加のＤＬＮＡ対応装置（例えば図３のＤＬＮＡ対応の携帯電子装置３９１）は、装置に接続するための標準的ＤＬＮＡ処理手順に基づいて、新たなＤＬＮＡネットワーク３００用の管理コンソールとして携帯電子装置が機能する新たなＤＬＮＡネットワーク３００に追加されるように要求することができる。本発明のこれらの実施形態では、管理コンソールアプリケーションを実行するＤＬＮＡ管理コンソール回路２５１からネットワーク３００の監視及び管理を行うように携帯電子装置３９０を構成することが可能となる。
【００５２】
本発明のいくつかの実施形態では、２つのＤＬＮＡネットワーク間の論理接続が提供されてもよい。例えば、ＤＬＮＡ対応の携帯電子装置３９０の管理コンソール３５１は、ＤＬＮＡ携帯電子装置３９１に対してＤＬＮＡネットワーク３００へのアクセスを認可することができる。換言すれば、携帯電子装置３９０は本発明のいくつかの実施形態に係る「管理装置」という役割を有している。いくつかの実施形態では、ＤＬＮＡ対応の携帯電子装置３９１のユーザは、ゲートウェイというコンセプトによってユーザのネットワーク内のコンテンツにアクセスすることが可能となる。
【００５３】
次に図４〜図６を参照しながら、本発明の様々な実施形態に従ってＤＬＮＡネットワークにおいてＤＬＮＡ対応の携帯電子装置を動作させる方法について説明する。まず図４を参照すると、１以上の既存のＤＬＮＡ管理コンソールを設けて、既存のＤＬＮＡネットワーク上でデータ用の発信源とすることができるようにした携帯電子装置を既存のＤＬＮＡネットワークに接続することによってブロック４００から処理が開始する。いくつかの実施形態では、既存のＤＬＮＡネットワークと新たなＤＬＮＡネットワークの少なくともいずれかのネットワークのための携帯管理コンソールとして携帯電子装置を動作可能にすることができる（ブロック４２０）。
【００５４】
次に図５を参照すると、携帯電子装置がＤＬＮＡ装置として既存のＤＬＮＡネットワークに接続されるように要求する要求を既存の管理コンソールへ送信することができる（ブロック５１０）。携帯電子装置がＤＬＮＡネットワークに接続されるとすぐに、既存のＤＬＮＡネットワーク用の第２の管理コンソールとして機能する権利が携帯電子装置に与えられるように要求する要求を既存の管理コンソールへ送信することができる（ブロック５１５）。既存の管理コンソールと、ローカルな場所及び遠隔地にある場所の少なくともいずれかの場所から得られる第２の管理コンソールとの少なくともいずれかの管理コンソールから既存のＤＬＮＡネットワークを管理することができる（ブロック５１７）。
【００５５】
図６に示すように、ＤＬＮＡ対応の携帯電子装置を含む新たなＤＬＮＡネットワークが定義され得る（ブロック６３０）。携帯管理コンソールは新たなＤＬＮＡネットワーク用の管理コンソールであってもよい。新たなＤＬＮＡネットワークとの接続要求を追加のＤＬＮＡ対応装置から受信することができる（ブロック６３５）。携帯管理コンソールを用いて、新たなＤＬＮＡネットワークの管理と監視の少なくともいずれかを行うことができる（ブロック６３７）。
【００５６】
図面及び明細書において本発明の例示の実施形態を開示した。しかしながら、これらの実施形態については、本発明の原理から実質的に逸脱することなく、多くの変形や変更を行うことが可能である。したがって、具体的な用語を使用したが、それらは、総称的で説明的意味合いでのみ、また限定を目的とはせずに、使用されたものであり、本発明の範囲は添付の特許請求の範囲により定義される。
【００５７】
本願は２００７年１０月２２日出願の米国仮出願特許第６０／９８１，５６９号（代理人整理番号９３４２−４０６ＰＲ）の優先権を主張するものである。同出願の開示はその全体が参照により本願に援用されている。
【図１】
2011501545.tif 000003
【図２】
2011501545.tif 000004
【図３】
2011501545.tif 000005
【図４】
2011501545.tif 000006
【図５】
2011501545.tif 000007
【図６】
2011501545.tif 000008
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
デジタル・リビング・ネットワーク・アライアンス（ＤＬＮＡ）対応の携帯電子装置であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるＤＬＮＡ装置回路と、
前記既存のＤＬＮＡネットワーク及び新たなＤＮＬＡネットワークの少なくとも何れかのための携帯管理コンソールとして前記携帯電子装置を動作させるＤＬＮＡ管理コンソール回路と
の少なくとも何れかを備え、
前記ＤＬＮＡ管理コンソール回路は、
前記ＤＬＮＡ対応の携帯電子装置を含む前記新たなＤＬＮＡネットワークを定義し、前記新たなＤＬＮＡネットワークのための前記携帯管理コンソールを含むことを特徴とするＤＬＮＡ対応の携帯電子装置。
【請求項２】
前記ＤＬＮＡ装置回路は、さらに、
前記携帯電子装置がＤＬＮＡ装置として前記既存のＤＬＮＡネットワークへ接続されるように要求する要求を前記既存の管理コンソールへ送信し、
前記ＤＮＬＡ管理コンソール回路は、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信することを特徴とする請求項１に記載のＤＮＬＡ対応の携帯電子装置。
【請求項３】
前記既存のＤＬＮＡネットワークは、前記既存のＤＬＮＡ管理コンソール及び前記第２の管理コンソールの少なくとも何れかから管理されることを特徴とする請求項２に記載のＤＮＬＡ対応の携帯電子装置。
【請求項４】
前記ＤＬＮＡ管理コンソール回路は、さらに、
前記既存のＤＬＮＡネットワークから離れた遠隔地から既存のＤＬＮＡネットワークに接続し、前記遠隔地から既存のＤＬＮＡネットワークを管理することを特徴とする請求項２又は３に記載のＤＬＮＡ対応の携帯電子装置。
【請求項５】
前記ＤＬＮＡ管理コンソール回路は、
無線ネットワーク及びＤＬＮＡプロキシを用いるインターネットを介して前記遠隔地から前記既存のＤＬＮＡネットワークへ接続することを特徴とする請求項４に記載のＤＬＮＡ対応の携帯電子装置。
【請求項６】
前記ＤＬＮＡ管理コンソール回路は、さらに、
追加のＤＬＮＡ対応装置から前記新たなＤＬＮＡネットワークへ接続する要求を受信することを特徴とする請求項１乃至５の何れか１項に記載のＤＬＮＡ対応の携帯電子装置。
【請求項７】
前記ＤＬＮＡ管理コンソール回路は、さらに、
前記新たなＤＬＮＡネットワークの管理及び監視の少なくとも一方を行うことを特徴とする請求項６に記載のＤＬＮＡ対応の携帯電子装置。
【請求項８】
前記ＤＬＮＡ装置回路は、
一時的に又は永続的に、前記既存のＤＬＮＡネットワーク及び前記新たなＤＬＮＡネットワークの少なくとも一方に前記携帯電子装置を接続させることを特徴とする請求項１乃至７の何れか１項に記載のＤＬＮＡ対応の携帯電子装置。
【請求項９】
デジタル・リビング・アライアンス（ＤＬＮＡ）ネットワークのための管理コンソールであって、
ＤＬＮＡ対応の携帯電子装置がＤＬＮＡネットワーク上でのデータの発信源となるべく、前記ＤＬＮＡ管理コンソールに関連付けられた前記ＤＬＮＡネットワークへ前記ＤＬＮＡ対応の携帯電子装置を接続させる要求を該ＤＬＮＡ対応の携帯電子装置から受信する装置アタッチメント回路と、
前記既存のＤＬＮＡネットワーク及び新たなＤＮＬＡネットワークの少なくとも何れかのための携帯管理コンソールとして前記携帯電子装置を動作させる携帯管理コンソール回路と
の少なくとも何れかを備え、
前記管理コンソールは、
前記ＤＬＮＡ対応の携帯電子装置を含む前記新たなＤＬＮＡネットワークを定義し、前記新たなＤＬＮＡネットワークのための前記管理コンソールを含むことを特徴とする管理コンソール。
【請求項１０】
前記管理コンソールは、前記ＤＬＮＡ対応の携帯電子装置に含まれることを特徴とする請求項９に記載の管理コンソール。
【請求項１１】
前記管理コンソールは、さらに、
前記ＤＬＮＡ対応の携帯電子装置に、前記ＤＬＮＡネットワークから離れた遠隔地から前記ＤＬＮＡネットワークに接続させ、前記遠隔地から前記ＤＬＮＡネットワークを管理させることを特徴とする請求項１０に記載の管理コンソール。
【請求項１２】
前記管理コンソールは、さらに、
追加のＤＬＮＡ対応装置から前記新たなＤＬＮＡネットワークへ接続する要求を受信することを特徴とする請求項９乃至１１の何れか１項に記載の管理コンソール。
【請求項１３】
デジタル・リビング・アライアンス（ＤＬＮＡ）ネットワークにおけるＤＬＮＡ対応の携帯電子装置を動作させるための方法であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるステップと、
前記既存のＤＬＮＡネットワーク及び新たなＤＮＬＡネットワークの少なくとも何れかのための携帯管理コンソールとして前記携帯電子装置を動作させるステップと
の少なくとも何れかを含み、
前記携帯管理コンソールとして前記携帯電子装置を動作させる前記ステップは、前記ＤＬＮＡ対応の携帯電子装置を含む前記新たなＤＬＮＡネットワークを定義するステップを含み、
前記携帯管理コンソールは、前記新たなＤＬＮＡネットワークのための前記携帯管理コンソールを含むことを特徴とする方法。
【請求項１４】
前記既存のＤＬＮＡネットワークへ前記携帯電子装置を接続させる前記ステップは、さらに、
前記携帯電子装置がＤＬＮＡ装置として前記既存のＤＬＮＡネットワークへ接続されるように要求する要求を前記既存の管理コンソールへ送信するステップを含み、
前記携帯管理コンソールとして前記携帯電子装置を動作させる前記ステップは、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信するステップを含むことを特徴とする請求項１３に記載の方法。
【請求項１５】
局所地及び遠隔地の少なくとも何れかの、前記既存のＤＬＮＡ管理コンソール及び前記第２の管理コンソールの少なくとも何れかから、前記既存のＤＬＮＡネットワークを管理するステップをさらに含むことを特徴とする請求項１４に記載の方法。
【請求項１６】
追加のＤＬＮＡ対応装置から前記新たなＤＬＮＡネットワークへ接続する要求を受信するステップをさらに含むことを特徴とする請求項１３乃至１５の何れか１項に記載の方法。
【請求項１７】
前記携帯管理コンソールを用いて、前記新たなＤＬＮＡネットワークを管理するステップと、前記新たなＤＬＮＡネットワークを監視するステップとの少なくとも一方のステップをさらに含むことを特徴とする請求項１６に記載の方法。
【手続補正２】
【補正対象書類名】明細書
【補正対象項目名】０００５
【補正方法】変更
【補正の内容】
【０００５】
ＤＬＮＡは、ＤＬＮＡネットワーク内の装置に対して３つのタイプの役割、すなわち、デジタルメディアレンダラの役割、デジタルメディアコントローラ（コントロールポイント）の役割、及びデジタルメディアサーバの役割を定義する。デジタルメディアサーバの役割を有する装置として、メディアの保存と発信とを行うことができるコンポーネントがある。デジタルメディアサーバの役割を有することができる装置としては、例えば、セットトップ・ボックス、デジタル・ビデオ・レコーダ、又はパーソナルコンピュータ（ＰＣ）などがあり得る。デジタルメディアレンダラの役割を有する装置は、別の装置によって当該装置に提供されるコンテンツをユーザに対して示すように構成されたものであってもよい。デジタルメディアコントローラとして構成される装置（コントロールポイントの役割）はデジタルメディアレンダラ装置上のサードパーティのコントローラとして動作を開始することが可能であり、例えば、デジタルメディアサーバ装置からメディアの表示を開始することが可能となる。すなわち制御ポイント装置はサーバによって提供されるコンテンツをレンダリングする方法と場所とを制御するように構成される。装置は当然のことであるが１以上の役割を担うことができる。例えば、レンダラの役割とコントロールポイントの双方として構成される装置はデジタルメディアプレーヤと命名することができる。デジタルメディアプレーヤはデジタルメディアサーバからメディアを得ると共に、ユーザに対してこのメディアを再生する（レンダリングする）ことができる。デジタルメディアプレーヤは、例えばテレビやホームシアタシステムであってもよい。米国特許出願２００７／２１１７３４号明細書には、外部のネットワーク・コネクションへ接続される第１のポートを含むネットワーク・ゲートウェイが提案されている。ウェブサーバ・モジュールは、上記外部のネットワーク・コネクションを通じてリモートユーザにウェブページを提供するための第１のポートへ接続される。デジタル・リビング・アライアンス（ＤＬＮＡ）コントローラは、ウェブサーバ・モジュールに接続され、第２のポートがデジタル・リビング・アライアンス（ＤＬＮＡ）とデジタル・リビング・アライアンス（ＤＬＮＡ）対応の内部ネットワークとに接続される。デジタル・リビング・アライアンス（ＤＬＮＡ）コントローラは、リモートユーザから受信したコマンドを利用して、ネットワーク・ゲートウェイに接続されたデジタル・リビング・アライアンス（ＤＬＮＡ）対応の周辺装置を制御するためのものである。
【手続補正３】
【補正対象書類名】明細書
【補正対象項目名】００１６
【補正方法】変更
【補正の内容】
【００１６】
従って、本発明は、様々な変形及び他の形式を許容することができ、その特定の実施形態が図面の例示によって示され、また、本明細書で詳細に説明される。しかしながら、開示される特定の実施形態に本発明を限定する意図はなく、それどころか、本発明は、特許請求の範囲で定義されているような、本発明の範囲に含まれるあらゆる変形、等価及び代替構成を含むものであることが理解されるべきである。同一の番号は図面の説明を通じて同一の要素を示すものとする。
【手続補正４】
【補正対象書類名】明細書
【補正対象項目名】００５７
【補正方法】削除
【補正の内容】
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
デジタル・リビング・ネットワーク・アライアンス（ＤＬＮＡ）対応の携帯電子装置であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるＤＬＮＡ装置回路と、
前記既存のＤＬＮＡネットワーク及び新たなＤＮＬＡネットワークの少なくとも何れかのための携帯管理コンソールとして前記携帯電子装置を動作させるＤＬＮＡ管理コンソール回路と
の少なくとも何れかを備えることを特徴とするＤＬＮＡ対応の携帯電子装置。
【請求項２】
前記ＤＬＮＡ装置回路は、さらに、
前記携帯電子装置がＤＬＮＡ装置として前記既存のＤＬＮＡネットワークへ接続されるように要求する要求を前記既存の管理コンソールへ送信し、
前記ＤＮＬＡ管理コンソール回路は、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信し、
前記既存のＤＬＮＡネットワークは、前記既存のＤＬＮＡ管理コンソール及び前記第２の管理コンソールの少なくとも何れかから管理されることを特徴とする請求項１に記載のＤＮＬＡ対応の携帯電子装置。
【請求項３】
前記ＤＬＮＡ管理コンソール回路は、さらに、
前記既存のＤＬＮＡネットワークから離れた遠隔地から既存のＤＬＮＡネットワークに接続し、前記遠隔地から既存のＤＬＮＡネットワークを管理し、無線ネットワーク及びＤＬＮＡプロキシを用いるインターネットを介して前記遠隔地から前記既存のＤＬＮＡネットワークへ接続することを特徴とする請求項２に記載のＤＬＮＡ対応の携帯電子装置。
【請求項４】
前記ＤＬＮＡ管理コンソール回路は、
前記ＤＬＮＡ対応の携帯電子装置を含む前記新たなＤＬＮＡネットワークを定義し、前記新たなＤＬＮＡネットワークのための前記携帯管理コンソールを含み、
前記ＤＬＮＡ管理コンソール回路は、さらに、
追加のＤＬＮＡ対応装置から前記新たなＤＬＮＡネットワークへ接続する要求を受信し、
前記新たなＤＬＮＡネットワークの管理及び監視の少なくとも一方を行い、
前記ＤＬＮＡ装置回路は、
一時的に又は永続的に、前記既存のＤＬＮＡネットワーク及び前記新たなＤＬＮＡネットワークの少なくとも一方に前記携帯電子装置を接続させることを特徴とする請求項１に記載のＤＬＮＡ対応の携帯電子装置。
【請求項５】
デジタル・リビング・アライアンス（ＤＬＮＡ）ネットワークのための管理コンソールであって、
ＤＬＮＡ対応の携帯電子装置がＤＬＮＡネットワーク上でのデータの発信源となるべく、前記ＤＬＮＡ管理コンソールに関連付けられた前記ＤＬＮＡネットワークへ前記ＤＬＮＡ対応の携帯電子装置を接続させる要求を該ＤＬＮＡ対応の携帯電子装置から受信する装置アタッチメント回路と、
前記既存のＤＬＮＡネットワーク及び新たなＤＮＬＡネットワークの少なくとも何れかのための携帯管理コンソールとして前記携帯電子装置を動作させる携帯管理コンソール回路と
の少なくとも何れかを備えることを特徴とする管理コンソール。
【請求項６】
前記管理コンソールは、前記ＤＬＮＡ対応の携帯電子装置に含まれ、
前記管理コンソールは、さらに、
前記ＤＬＮＡ対応の携帯電子装置に、前記ＤＬＮＡネットワークから離れた遠隔地から前記ＤＬＮＡネットワークに接続させ、前記遠隔地から前記ＤＬＮＡネットワークを管理させることを特徴とする請求項５に記載の管理コンソール。
【請求項７】
前記管理コンソールは、
前記ＤＬＮＡ対応の携帯電子装置を含む前記新たなＤＬＮＡネットワークを定義し、前記新たなＤＬＮＡネットワークのための前記管理コンソールを含み、
前記管理コンソールは、さらに、
追加のＤＬＮＡ対応装置から前記新たなＤＬＮＡネットワークへ接続する要求を受信することを特徴とする請求項６に記載の管理コンソール。
【請求項８】
デジタル・リビング・アライアンス（ＤＬＮＡ）ネットワークにおけるＤＬＮＡ対応の携帯電子装置を動作させるための方法であって、
前記携帯電子装置が少なくとも１つの既存のＤＬＮＡ管理コンソールを有する既存のＤＬＮＡネットワーク上でのデータの発信源となるべく、該既存のＤＬＮＡネットワークへ前記携帯電子装置を接続させるステップと、
前記既存のＤＬＮＡネットワーク及び新たなＤＮＬＡネットワークの少なくとも何れかのための携帯管理コンソールとして前記携帯電子装置を動作させるステップと
の少なくとも何れかを含むことを特徴とする方法。
【請求項９】
前記既存のＤＬＮＡネットワークへ前記携帯電子装置を接続させる前記ステップは、さらに、
前記携帯電子装置がＤＬＮＡ装置として前記既存のＤＬＮＡネットワークへ接続されるように要求する要求を前記既存の管理コンソールへ送信するステップを含み、
前記携帯管理コンソールとして前記携帯電子装置を動作させる前記ステップは、さらに、
前記携帯電子装置がＤＬＮＡ装置として前記既存のＤＬＮＡネットワークへ接続されると、前記携帯電子装置に前記既存のＤＬＮＡネットワークにおいて第２の管理コンソールとして動作する権利を与えるよう要求する要求を前記既存のＤＬＮＡネットワークへ送信するステップを含み、
前記方法は、
局所地及び遠隔地の少なくとも何れかの、前記既存のＤＬＮＡ管理コンソール及び前記第２の管理コンソールの少なくとも何れかから、前記既存のＤＬＮＡネットワークを管理するステップをさらに含むことを特徴とする請求項８に記載の方法。
【請求項１０】
前記携帯管理コンソールとして前記携帯電子装置を動作させる前記ステップは、前記ＤＬＮＡ対応の携帯電子装置を含む前記新たなＤＬＮＡネットワークを定義するステップを含み、
前記携帯管理コンソールは、前記新たなＤＬＮＡネットワークのための前記携帯管理コンソールを含み、
前記方法は、
追加のＤＬＮＡ対応装置から前記新たなＤＬＮＡネットワークへ接続する要求を受信するステップと、
前記携帯管理コンソールを用いて、前記新たなＤＬＮＡネットワークを管理するステップと、前記新たなＤＬＮＡネットワークを監視するステップとの少なくとも一方のステップと
をさらに含むことを特徴とする請求項８に記載の方法。
【国際調査報告】
2011501545.tif 000009
2011501545.tif 000010